(57)【要約】【課題】簡単なカバー内側の突形状でカバーの閉じ動作の可否を設定することができるようにする。【解決手段】画像形成部５を収容した本体１部と、この本体１部に対して開閉可能に設けられたカバーと、を有する画像形成装置において、前記カバーの内側に突設され、防塵ガラス用清掃具等の所定の部材を着脱自在に保持する部品保持部１１，１２を備え、前記カバーを閉じたときに、前記部品保持部１１が前記カバーによって覆われる部分に設けられたロックレバー８の収納位置を除く可動軌跡内に位置するように、前記カバーに対する前記部品保持部１１の取り付け位置が設定されている。【選択図】図２
2010066304.tif 000002
【特許請求の範囲】
【請求項１】
画像形成手段を収容した本体部と、
この本体部に対して開閉可能に設けられたカバーと、
を有する画像形成装置において、
前記カバーの内側に突設され、所定の部材を着脱自在に保持する部品保持部を備え、
前記カバーを閉じたときに、前記部品保持部が前記カバーによって覆われる部分に設けられた可動部の収納位置を除く可動軌跡内に位置するように、前記カバーに対する前記部品保持部の取り付け位置が設定されていること
を特徴とする画像形成装置。
【請求項２】
画像形成手段を収容した本体部と、
この本体部に対して開閉可能に設けられたカバーと、
を有する画像形成装置において、
前記カバーの内側に突設され、所定の部材を着脱自在に保持する部品保持部を備え、
前記カバーを閉じたときに、前記部品保持部が前記カバーによって覆われる部分に設けられた所定の部材を挿入する開口部と重なる位置に前記カバーに対する前記部品保持部の取り付け位置が設定されていること
を特徴とする画像形成装置。
【請求項３】
請求項１又は２記載の画像形成装置において、
前記部品保持部が前記カバーから突設された一対の突条からなり、当該一対の突条の間で部品を保持すること
を特徴とする画像形成装置。
【請求項４】
請求項１ないし３のいずれか１項に記載の画像形成装置において、
前記部品保持部が前記カバーの内側に斜めに配置されていることを特徴とする画像形成装置。
【請求項５】
請求項１ないし３のいずれか１項に記載の画像形成装置において、
前記部品保持部が前記カバーの内側に斜めに交差するように２条設けられていることを特徴とする画像形成装置。
【請求項６】
請求項５記載の画像形成装置において、
前記２条のうちの１条のみが部品を保持する機能を有し、他の１条はダミーであること
を特徴とする画像形成装置。
【請求項７】
請求項５記載の画像形成装置において、
前記２条の突条の高さが互いに異なり、前記所定の部材を複数交差させて保持すること
を特徴とする画像形成装置。
【請求項８】
請求項１ないし７のいずれか１項に記載の画像形成装置において、
前記一対の突条の前記カバー内面からの突出量が当該一対の突条の間隔よりも大きく設定されていること
を特徴とする画像形成装置。
【請求項９】
請求項１ないし８のいずれか１項に記載の画像形成装置において、
前記所定の部材が、光書き込み装置の防塵ガラスを清掃する防塵ガラス清掃具であることを特徴とする画像形成装置。
【請求項１０】
請求項１記載の画像形成装置において、
前記可動部が本体部に装着される部品を固定するロックレバーであることを特徴とする画像形成装置。
【発明の詳細な説明】
【技術分野】
【０００１】
本発明は、カバーによって本体部が開閉される複写機、プリンタ、ファクシミリ、又はそれらの機能を複合したデジタル複合機などの画像形成装置に関する。
【背景技術】
【０００２】
この種の技術として例えば特許文献１に記載された発明が公知である。この発明は、防塵性を備えたハウジングの内部に光学部材を収納した光書き込み装置において、ハウジングに形成されて光ビームが通過する開口部を閉止する透光性防塵部材に対する清掃部材による清掃性を、清掃具の背面に凸形状を設けることにより、凸形状と下流側のガイド部との当接により、清掃具の背面と上流側のガイド部との間にクリアランスを発生させて向上を図っている。
【０００３】
しかしながら、清掃具は機械動作時には使用しないため、その収納場所が必要となる。清掃具は使用時には簡単に着脱でき、不使用時には機械空間内に効率的に収納されなければならない。一方で、機械本体に装着される部品の装着が不完全である場合に機械を動作させないようにしなければならない。そこで、従来では、部品が装着された後に閉じられるカバーに突起を設けることによって内部の部品が完全に装着されない場合にはカバーが閉じないようにするようにしていた。内部の部品が完全に装着されない場合にはカバーが閉じないようにするための突起を別途設けると、カバー内側の凸形状が複雑になり、成形性や外観上問題が生じていた。
【特許文献１】特開２００６−１７８２５７号公報
【発明の開示】
【発明が解決しようとする課題】
【０００４】
ところで、機械本体の開閉するカバーが覆う範囲内に可動部材があり、当該可動部材が収納位置以外の位置にあるときに機械を動作させると、正常に動作しなかったり、故障又は破損したりするおそれがある。これを防ぐために当該可動部材が収納位置以外の位置にあるときには開閉するカバーが閉じないよう、収納位置以外の位置にある可動部材と干渉するように開閉するカバーに突起を設けたものがある。しかし、このような突起を設けると、前記従来例で説明したように収納部品の装着状態の良否でカバーの閉じ動作ができないようにするときと同様に、開閉するカバー内側の凸形状が複雑になる。
【０００５】
そこで、本発明が解決しようとする課題は、簡単なカバー内側の突形状でカバーの閉じ動作の可否を設定することができるようにすることにある。
【課題を解決するための手段】
【０００６】
前記課題を解決するため、第１の手段は、画像形成手段を収容した本体部と、この本体部に対して開閉可能に設けられたカバーと、を有する画像形成装置において、前記カバーの内側に突設され、所定の部材を着脱自在に保持する部品保持部を備え、前記カバーを閉じたときに、前記部品保持部が前記カバーによって覆われる部分に設けられた可動部の収納位置を除く可動軌跡内に位置するように、前記カバーに対する前記部品保持部の取り付け位置が設定されていることを特徴とする。
【０００７】
第２の手段は、第１の手段と同様の前提の画像形成装置において、前記カバーの内側に突設され、所定の部材を着脱自在に保持する部品保持部を備え、前記カバーを閉じたときに、前記部品保持部が前記カバーによって覆われる部分に設けられた所定の部材を挿入する開口部と重なる位置に前記カバーに対する前記部品保持部の取り付け位置が設定されていることを特徴とする。
【０００８】
第３の手段は、第１又は第２の手段において、前記部品保持部が前記カバーから突設された一対の突条からなり、当該一対の突条の間で部品を保持することを特徴とする。
【０００９】
第４の手段は、第１ないし第３のいずれかの手段において、前記部品保持部が前記カバーの内側に斜めに配置されていることを特徴とする。
【００１０】
第５の手段は、第１ないし第３のいずれかの手段において、前記部品保持部が前記カバーの内側に斜めに交差するように２条設けられていることを特徴とする。
【００１１】
第６の手段は、第５の手段において、前記２条のうちの１条のみが部品を保持する機能を有し、他の１条はダミーであることを特徴とする。
【００１２】
第７の手段は、第５の手段において、前記２条の突条の高さが互いに異なり、前記所定の部材を複数交差させて保持することを特徴とする。
【００１３】
第８の手段は、第１ないし第７のいずれかの手段において、前記一対の突条の前記カバー内面からの突出量が当該一対の突条の間隔よりも大きく設定されていることを特徴とする。
【００１４】
第９の手段は、第１ないし第８のいずれかの手段において、前記所定の部材が光書き込み装置の防塵ガラスを清掃する防塵ガラス清掃具であることを特徴とする。
【００１５】
第１０の手段は、第１の手段において、前記可動部が本体部に装着される部品を固定するロックレバーであることを特徴とする。
【００１６】
なお、後述の実施形態では、画像形成手段は画像形成部５に、本体部は本体１に、カバーは符号２に、所定の部材は防塵ガラス用清掃具１６に、部品保持部１１，１２，１３，１４，１５に、可動部はロックレバー８に、開口部は符号１０Ｙ，１０Ｍ，１０Ｃ，１０Ｋに、突条は１１ａ，１１ｂ、１３ａ，１３ｂ、１４ａ，１４ｂ、１５ａ，１５ｂに、ダミーは部品保持部１４に、それぞれ対応する。
【発明の効果】
【００１７】
本発明によれば、カバーを閉じられる状況でない場合にカバーが閉じられたときには、部品保持部が閉じられる状況でない部材に当接してカバーの閉止を阻止するので、部品保持部を形成する簡単なカバー内側の突形状でカバーの閉じ動作の可否を設定することができる。
【発明を実施するための最良の形態】
【００１８】
以下、本発明の実施形態について、図面を参照しながら説明する。
【００１９】
図１は本発明の実施形態に係る画像形成装置の斜視図である。同図において、画像形成装置ＰＲは上部にスキャナＳＣを、下部に給紙部６をそれぞれ備え、画像形成装置ＰＲの本体１の前面には本体内部に対して種々の操作を行うためにカバー２が取り付けられている。図２はカバー２を取り外し、画像形成装置ＰＲの本体１を前面側から見た図である。この画像形成装置ＰＲはタンデム型の画像形成装置で、上部に排紙トレイ３が設けられ、排紙トレイ３の下部にＹＭＣＫ各色のトナータンク４Ｙ，４Ｍ，４Ｃ，４Ｋが配置され、その下に設けられている画像形成部５の各色毎の作像ステーションの現像装置にトナーを供給する。
【００２０】
画像形成部５は、ＹＭＣＫ各色毎に設けられた感光体ドラムと、この感光体ドラムの外周に沿って配置された帯電ユニット、現像ユニット、１次転写ユニット、クリーニングユニット、除電ユニットなどの作像要素と、各感光体ドラムに転写時に接触して１次転写ユニットによって画像が１次転写される中間転写ベルトと、給紙部６から給紙された用紙に中間転写ベルト上に４色重畳されたカラー画像を２次転写する２次転写ユニットと、帯電ユニットと現像ユニットとの間で感光体ドラム上にレーザ光を照射して光書き込みを行う光書き込みユニット７からなる。これらの各ユニットが画像形成装置ＰＲの本体１内に収容され、用紙に対する画像形成が行われる。図２は、これらが収容されているときの前側板の状態である。
【００２１】
図２から分かるように画像形成部５の前面側の所定部分（右側の端部）には、画像形成部５の前面板５ａを固定するためのロックレバー８が設けられ、また、光書き込みユニット７のレーザ光の出射口に設けられた防塵ガラスを清掃するためのガラス用清掃具９（図４参照）を挿入するための開口部１０Ｙ，１０Ｍ，１０Ｃ，１０Ｋが設けられている。これらはカバー２によって覆われる範囲内に設けられている。なお、図２は、前記ロックレバー８は正規の収納位置に位置している状態である。また、ロックレバー８は前面板５ａに対して平行に支軸５ｂに回動可能に支持されている。
【００２２】
図２において、符号１１及び１２で示す部分は、図３に示すようなカバー２の内側に斜めに設けられた部品収納部を示す。部品収納部１１は、互いに平行であって後述の図４に示すようカバー２の内面から突出した対となる２本の突条１１ａ，１１ｂの間に部品、例えば清掃部材を先端に取付けた棒板状の防塵ガラス用清掃具１６を保持するようになっている。この部品収納部１１は、ロックレバー８の自由端の回動軌跡内に一部が位置しており、ロックレバー８が収納位置に位置したとき（図２の状態）のみ、部品収納部１１とロックレバー８が干渉しないようになっている。そのため、干渉しない図２の位置にロックレバー８が位置したときのみ、カバー２を閉じることが可能となる。言い換えれば、ロックレバー８が収納位置に位置していない場合には、カバー２を閉じたときに、部品収納部１１の突条１１ａ，１１ｂがロックレバー８と衝突し、カバー２を閉じることはできない。
【００２３】
図４は図３に示した部品収納部１１を含むカバー２の断面図である。カバー２の内側には、着脱可能な部品としての防塵ガラス用清掃具１６を収納するための突条１１ａ，１１ｂが設けられている。突条１１ａ，１１ｂは着脱可能な防塵ガラス用清掃具１６等の部品が収納された際に、カバー奥行き方向の長さａがカバー平面方向の長さｂに比べて大きくなる姿勢で保持されるように配置されている。これにより、ユーザによる着脱可能な部品の取り出しが容易になっている。また、これらの突条１１ａ，１１ｂは、カバー２の長手方向に設けられているので、カバー２のねじれ剛性を向上させることができる。
【００２４】
一方、図２において下側の部品収納部１２は、前記開口部１０Ｙ，１０Ｍ，１０Ｃ，１０Ｋからの突出物と干渉する位置に設けられている。開口部１０Ｙ，１０Ｍ，１０Ｃ，１０Ｋに例えば前記防塵ガラス用清掃具１６を挿入したままであると、当該清掃具１６の端部が突出しているので、カバー２を閉じたとき、部品収納部１２を構成する突条が突出した清掃具１６の端部に衝突し、閉じることができない、ということになる。
【００２５】
図５は、部品収納部の他の例を示す図で、図３と同様にカバー２を内側から見た図である。図５において、カバー２の内側には交差する２本の斜めの直線上に２対の突条１３ａ，１３ｂ、１４ａ，１４ｂが設けられ、うち一方は部品収納部１３として防塵ガラス用清掃具１６が収納可能である。
【００２６】
図６は、部品収納部のさらに他の例を示す図で、図３と同様にカバー２を内側から見た図である。図６において、図５と同様にカバー２の内側には２本の斜めの直線状に互いに高さの異なる２対の突条１３ａ，１３ｂ，１５ａ，１５ｂが設けられており、複数の着脱自在な部品を交差して収納可能である。なお、この場合の部品の例として例えば前記防塵ガラス用清掃具１６が挙げられる。
【００２７】
以上のように本実施形態によれば、下記のような効果を奏する。  
１）部品を固定するロックレバー８が所定位置に完全に収納されていない状態でカバーを閉じたとき、部品収納部１１の突条１１ａ，１１ｂがロックレバー８に当接してカバーの閉止を阻害するので、着脱可能な部品の保持とロックレバー８の不完全装着の防止を１つの突形状で兼ねることが可能となり、カバー内側の突起を減らし、形状を簡素化することができる。  
２）画像形成装置が動作していないときに挿入される防塵ガラス用清掃具１６の挿入用の開口部１０Ｙ，１０Ｍ，１０Ｃ，１０Ｋに対応した位置に部品収納部１２の突条が位置し、防塵ガラス用清掃具１６の保持と、防塵ガラス清掃具１６の取り忘れ防止用の突形状を部品収納部１２が兼ねることができるので、カバー内側の突起を減らし、形状を簡素化することができる。  
３）開閉するカバーの斜め方向に部品収納部１１が設けられるため、開閉するカバーのねじれ変形を抑制することができる。また、一定の長さの部品収納部１１を斜めに配置しているので、カバー２は同寸でも長さの長い部品を収納することができる。  
４）斜めに交差した部品収納部の一方は部品を収納する機能を有し、他方はねじれ変形を防止する言わばリブとして機能するようにしたので、部品収納とカバーの強度向上を図ることができる。  
５）部品収納部を高さの異なる突条を交差して形成したので、複数の着脱可能な部材、例えば防塵ガラス清掃具１６を保持することができる。複数の着脱可能な部材は異なる種類の部材であってもよいし、同一の部材である場合には予備部材とすることができる。  
６）部品収納部１１は防塵ガラス清掃具１６の板状の部材の断面方向の長い側が突出するように保持するので、保持されている防塵ガラス清掃具１６等の部材を容易に取り出すことができる。
【００２８】
なお、本発明は本実施形態に限定されるものではなく、特許請求の範囲に記載された技術思想に含まれる技術的事項の全てが対象となることは言うまでもない。
【図面の簡単な説明】
【００２９】
【図１】本発明の実施形態に係る画像形成装置の斜視図である。
【図２】画像形成装置の本体カバーを取り外して前面側から見た図である。
【図３】カバーの内側に斜めに設けられた部品収納部を示す図である。
【図４】図３に示した部品収納部１１を含むカバーの断面図である。
【図５】部品収納部の他の例を示す図で、図３と同様にカバーを内側から見た図である。
【図６】部品収納部のさらに他の例を示す図で、図３と同様にカバーを内側から見た図である。
【符号の説明】
【００３０】
１  本体
２  カバー
５  画像形成部
８  ロックレバー
１０Ｙ，１０Ｍ，１０Ｃ，１０Ｋ  開口部
１１，１２，１３，１４，１５  部品保持部
１１ａ，１１ｂ、１３ａ，１３ｂ、１４ａ，１４ｂ、１５ａ，１５ｂ  突条
１４  ダミーの部品保持部
１６  防塵ガラス用清掃具
ＰＲ画像形成装置
【図１】
2010066304.tif 000003
【図２】
2010066304.tif 000004
【図３】
2010066304.tif 000005
【図４】
2010066304.tif 000006
【図５】
2010066304.tif 000007
【図６】
2010066304.tif 000008